(57)【要約】【課題】正確な氷点下で氷飽和以上の空気の含水量計測方法および装置を提供する。【解決手段】氷点下で氷飽和以上の空気の含水量計測方法は、計測対象空気を含む空間２から一定量の空気を吸入し、吸入した空気を加熱部３によって加熱して氷飽和以下の空気にし、その氷飽和以下の空気の湿度を湿度測定部６で測定し、測定した湿度の測定値から、計測対象の空気の含水量を求める。【選択図】図１
2014231937.tif 000002
【特許請求の範囲】
【請求項１】
氷点下で氷飽和以上の空気の含水量計測方法であって、
計測対象空気を含む空間から一定量の空気を吸入し、
吸入した空気を加熱部によって加熱して氷飽和以下の空気にし、
前記の氷飽和以下の空気の湿度を測定し、
前記の測定した湿度の測定値から、計測対象空気の含水量を求める、氷点下で氷飽和以上の空気の含水量計測方法。
【請求項２】
前記計測対象空気は、過冷却水滴および／または氷結粒が飛散しており、
前記の吸入した空気の加熱は、過冷却水滴および／または氷結粒の全量を気化させ、かつ氷飽和以下の空気にする、請求項１に記載の氷飽和以上の空気の含水量計測方法。
【請求項３】
前記加熱部の、前記の吸入した空気が接する加熱体表面の温度を測定し、
前記加熱体表面温度の測定値に基づいて、前記加熱体表面温度の測定値が、前記計測対象空気に含まれる水分の全量を水蒸気にすることができる加熱体表面温度設定値Ｔｓ以上になるように前記加熱体表面温度を制御し、
前記制御は、前記加熱体表面温度の測定値が加熱体表面温度設定値Ｔｓ未満の場合は、加熱部に供給するエネルギー量を増やし、
前記加熱体表面温度の測定値が加熱体表面温度設定値Ｔｓ以上の場合は、加熱部に供給するエネルギー量を維持する、請求項１または２に記載の氷飽和以上の空気の含水量計測方法。
【請求項４】
前記の加熱後空気の湿度の測定値が設定値Ｈｓより大きいときは、加熱体表面温度設定値Ｔｓを上げ、
前記湿度の測定値が設定値Ｈｓ以下のときは、加熱体表面温度の測定値を加熱体表面温度設定値Ｔｓに維持するように制御する、請求項３に記載の氷飽和以上の空気の含水量計測方法。
【請求項５】
更に、前記の加熱した空気の温度を測定し、
加熱後空気の温度測定値が氷点下のときは、加熱体表面温度設定値Ｔｓを上げ、
加熱後空気の温度測定値が氷点より高いときは、加熱体表面温度の測定値を加熱体表面温度設定値Ｔｓに維持するように制御する、請求項４に記載の氷飽和以上の空気の含水量計測方法。
【請求項６】
前記の温度および／または湿度を測定した加熱後空気の一部または全部を、前記計測対象空気を含む空間に循環させる、請求項１〜５のいずれか１項に記載の氷飽和以上の空気の含水量計測方法。
【請求項７】
請求項１〜６のいずれか１項に記載の氷飽和以上の空気の含水量計測方法により計測した計測対象空気から結晶雪を生成させることを含む、結晶型人工降雪方法。
【請求項８】
計測対象の空気を吸入するための吸入口と、
吸入した空気を加熱するための加熱体を備える加熱部と、
前記加熱体の、吸入した空気が接触する表面の温度を測定するための加熱体表面温度測定部と、
加熱した空気の湿度を測定するための湿度測定部と、
前記加熱体表面温度の測定値を入力し、演算処理し、測定対象空気の含水量の値を出力し、加熱部に供給するエネルギー量を調節して加熱体表面温度を制御するための演算部と、
測定した空気を排出するための排出口と、
を備え、前記制御は、
加熱体表面温度の測定値が設定値Ｔｓ未満であるときは加熱部に供給するエネルギー量を増やし、
加熱体表面温度の測定値が設定値Ｔｓ以上であるときは加熱部に供給するエネルギー量を維持する、
氷点下で氷飽和以上の空気の含水量計測装置。
【請求項９】
更に前記制御は、
前記湿度測定部による測定値が設定値Ｈｓより大きいときは加熱体表面温度の設定値Ｔｓを上げ、
前記湿度測定部による測定値が設定値Ｈｓ以下のときは加熱体表面温度の設定値Ｔｓを維持する、
請求項８に記載の氷飽和以上の空気の含水量計測装置。
【請求項１０】
更に、加熱後の空気の温度を測定するための加熱後空気温度測定部を備え、
前記制御は、
加熱後空気温度測定部による測定値が氷点下であるときは加熱体表面温度の設定値Ｔｓを上げ、
加熱後空気温度測定部による測定値が氷点より高いときは加熱体表面温度の設定値Ｔｓを維持する、
請求項９に記載の氷飽和以上の空気の含水量計測装置。
【請求項１１】
請求項８〜１０のいずれか１項に記載の氷飽和以上の空気の含水量計測装置を備える結晶型人工降雪装置。
【発明の詳細な説明】
【技術分野】
【０００１】
本発明は、空気の含水量の計測方法および計測装置に関し、特に、氷点下で氷飽和以上の空気の含水量の計測方法および計測装置に関する。
【背景技術】
【０００２】
結晶型の人工雪を製造する人工降雪装置は、含水量の多い低温空気の中で結晶雪を生成させ、成長させる。このような降雪装置に好適な空気は、より具体的には、低温でかつ氷飽和以上、またはそれを更に超えた水飽和以上の水分量を含有し、過飽和蒸気、過冷却水滴、およびそれが氷結した氷結粒が、単独または複数混合した状態の空気である。また、降雪装置で製造する結晶雪の量や結晶形状は、用いる空気の含水量に影響を受ける。例えば、非特許文献１には、結晶型人工雪を造る方法が開示されており、また、雪の結晶形状が、結晶が成長している場所の気温と空気の過飽和度との組み合わせによって変化することを示した図（ナカヤ・ダイヤグラム）が記載されている。従って、結晶雪を生成させる降雪装置には、特定含水量の空気を供給することが望まれる。
【０００３】
しかし、飛散している水滴や氷結粒を含む空気の含水量は、例えば、その空気中に従来の湿度計や露点計を単独で設置しても、正確に測定することが困難である。例えば、特許文献１は、人工結晶雪製造装置が開示されており、この装置が氷飽和以上の飽和雰囲気をつくり出す加湿装置を備えていることが記載されている。しかし、この装置は、その氷飽和以上の飽和雰囲気の含水量を測定する手段を備えていない。
【先行技術文献】
【特許文献】
【０００４】
【特許文献１】特開平９−３２９３８０号公報
【非特許文献】
【０００５】
【非特許文献１】中谷宇吉郎著、「雪」岩波書店、１９９４年１０月１７日、ｐ．１７６
【発明の概要】
【発明が解決しようとする課題】
【０００６】
通常の湿度計や露点計は、氷飽和以下の湿度を測定するセンサを備えた計測器である。言い換えれば、通常の湿度計や露点計は、湿度が１００％未満で、水滴や氷結粒を含まない空気だけを測定できるものである。従って、前述のような、水滴や氷結粒が存在し、低温でかつ氷飽和以上の空気の測定は、それらの計測器の計測仕様から外れるものである。このような空気を、そのまま通常の湿度計や露点計で測定すると、センサ表面には、空気中の氷結粒や過冷却水滴が付着したり、過飽和蒸気の影響で霜が形成したりする。そのため、湿度計ではレンジオーバー（測定不能）と表示される。また、露点計が示す露点温度の値は、その空気の正確な露点温度でなく、それに基づいて求められた湿度の値も正確でない。
【０００７】
特許文献１に記載の人工結晶雪製造装置が氷飽和以上の飽和雰囲気の含水量を測定する手段を備えていないのは、その値を正確に測定できないためと考えられる。特許文献１には、供給する空気を氷飽和以上の空気湿度にするために、流路全体に少しずつ加湿するように加湿パンを多段に設けると記載されている。特許文献１では、供給する空気が氷飽和以上の空気湿度であることは、パンへの水の投入量や降雪量から推定していると考えられる。このような、供給する空気の含水量をパンへ投入する水の量から推定する手法は、あくまでも予測であり、供給する空気そのものを測るものではない。しかし、所望の形状や量の結晶雪を安定的に得るためには、供給する空気の含水量を計測し、その計測値から、パンへ投入する水の量や温度を調整することが好ましい。
【０００８】
また、供給する空気の含水量を降雪量から推定する手法は、供給する空気の含水量の現在値を得る方法ではなく、降雪結果から求めた過去の値を得る方法である。このような手法では、所望の形状の結晶雪を安定的に得るまでに、水の投入量の調整と雪の分析を繰り返す必要があり、長期間を要することになる。特に、外気の水分を利用するために外気と冷気を混合させて降雪用の空気を作製するような降雪装置の場合、供給する空気の含水量に基づいて冷気の混合量を調整する必要がある場合もあり、このような手法では、タイムラグが大きく、所望の降雪用空気を作製することが困難である。
【０００９】
このように、例えば結晶型人工降雪の結晶雪を生成させる装置では、前述の状態にある空気を供給する必要があり、氷点下で氷飽和以上の空気の含水量を正確に連続的に計測することは、その装置で安定的に品質良く降雪させるために重要である。本発明は、かかる点に鑑みてなされたものであり、その課題は、正確な氷点下で氷飽和以上の空気の含水量計測方法および装置を提供することにある。
【課題を解決するための手段】
【００１０】
本発明は前記課題を解決するため以下の態様を含む。
（１）氷点下で氷飽和以上の空気の含水量計測方法であって、計測対象空気を含む空間から一定量の空気を吸入し、吸入した空気を加熱部によって加熱して氷飽和以下の空気にし、前記の氷飽和以下の空気の湿度を測定し、前記の測定した湿度の測定値から、計測対象空気の含水量を求める、氷点下で氷飽和以上の空気の含水量計測方法。
（２）前記計測対象空気は、過冷却水滴および／または氷結粒が飛散しており、前記の吸入した空気の加熱は、過冷却水滴および／または氷結粒の全量を気化させ、かつ氷飽和以下の空気にする、前記（１）に記載の氷飽和以上の空気の含水量計測方法。
（３）前記加熱部の、前記の吸入した空気が接する加熱体表面の温度を測定し、前記加熱体表面温度の測定値に基づいて、前記加熱体表面温度の測定値が、前記計測対象空気に含まれる水分の全量を水蒸気にすることができる加熱体表面温度設定値Ｔｓ以上になるように前記加熱体表面温度を制御し、前記制御は、前記加熱体表面温度の測定値が加熱体表面温度設定値Ｔｓ未満の場合は、加熱部に供給するエネルギー量を増やし、前記加熱体表面温度の測定値が加熱体表面温度設定値Ｔｓ以上の場合は、加熱部に供給するエネルギー量を維持する、前記（１）または（２）に記載の氷飽和以上の空気の含水量計測方法。
（４）前記の加熱後空気の湿度の測定値が設定値Ｈｓより大きいときは、加熱体表面温度設定値Ｔｓを上げ、前記湿度の測定値が設定値Ｈｓ以下のときは、加熱体表面温度の測定値を加熱体表面温度設定値Ｔｓに維持するように制御する、前記（３）に記載の氷飽和以上の空気の含水量計測方法。
（５）更に、前記の加熱した空気の温度を測定し、加熱後空気の温度測定値が氷点下のときは、加熱体表面温度設定値Ｔｓを上げ、加熱後空気の温度測定値が氷点より高いときは、加熱体表面温度の測定値を加熱体表面温度設定値Ｔｓに維持するように制御する、前記（４）に記載の氷飽和以上の空気の含水量計測方法。
（６）前記の温度および／または湿度を測定した加熱後空気の一部または全部を、前記計測対象空気を含む空間に循環させる、前記（１）〜（５）のいずれか１つに記載の氷飽和以上の空気の含水量計測方法。
（７）前記（１）〜（６）のいずれか１つに記載の氷飽和以上の空気の含水量計測方法により計測した計測対象空気から結晶雪を生成させることを含む、結晶型人工降雪方法。
（８）測定対象の空気を吸入するための吸入口と、吸入した空気を加熱するための加熱体を備える加熱部と、前記加熱体の、吸入した空気が接触する表面の温度を測定するための加熱体表面温度測定部と、加熱した空気の湿度を測定するための湿度測定部と、前記加熱体表面温度の測定値を入力し、演算処理し、測定対象空気の含水量の値を出力し、加熱部に供給するエネルギー量を調節して加熱体表面温度を制御するための演算部と、測定した空気を排出するための排出口と、を備え、前記制御は、加熱体表面温度の測定値が設定値Ｔｓ未満であるときは加熱部に供給するエネルギー量を増やし、加熱体表面温度の測定値が設定値Ｔｓ以上であるときは加熱部に供給するエネルギー量を維持する、氷点下で氷飽和以上の空気の含水量計測装置。
（９）更に前記制御は、前記湿度測定部による測定値が設定値Ｈｓより大きいときは加熱体表面温度の設定値Ｔｓを上げ、前記湿度測定部による測定値が設定値Ｈｓ以下のときは加熱体表面温度の設定値Ｔｓを維持する、前記（８）に記載の氷飽和以上の空気の含水量計測装置。
（１０）更に、加熱後の空気の温度を測定するための加熱後空気温度測定部を備え、前記制御は、加熱後空気温度測定部による測定値が氷点下であるときは加熱体表面温度の設定値Ｔｓを上げ、加熱後空気温度測定部による測定値が氷点より高いときは加熱体表面温度の設定値Ｔｓを維持する、前記（９）に記載の氷飽和以上の空気の含水量計測装置。
（１１）前記（８）〜（１０）のいずれか１つに記載の氷飽和以上の空気の含水量計測装置を備える結晶型人工降雪装置。
【発明の効果】
【００１１】
前記構成の含水量計測方法および装置によれば、正確に、場合により水滴や氷結粒を含むような氷点下で氷飽和以上の空気の含水量を計測する方法およびその装置を提供することが可能となる。また、湿度計・露点計で測定する空気を、必ず氷飽和以下の測定器仕様に合致した空気状態にできるので、通常の湿度計・露点計を用いて測定した値に基づいて、氷点下で氷飽和以上の空気の含水量を正確に計測できる。また、連続的に計測対象の空気の一部を吸入して現在値の含水量を計測できるので、降雪装置の制御等に組み込んで使用すると降雪品質の確保のための制御機構に寄与できる。
【図面の簡単な説明】
【００１２】
【図１】本発明に係る含水量計測装置の一態様を示すブロック図である。
【図２】本発明に係る加熱部の制御処理の一態様を示すフローチャートである。
【図３】本発明に係る加熱部の制御処理の別の態様を示すフローチャートである。
【図４】本発明に係る加熱部の制御処理の別の態様を示すフローチャートである。
【発明を実施するための形態】
【００１３】
本発明の氷点下で氷飽和以上の空気の含水量計測方法は、氷点下で氷飽和以上の空気（以下、「計測対象空気」と記載することがある。）を含む空間から一定量の空気を吸入し、吸入した空気を加熱部によって加熱して氷飽和以下の空気にし、その氷飽和以下の空気の湿度を測定し、測定した湿度の測定値から、計測対象空気の含水量を求める。
【００１４】
本発明の含水量計測方法の計測対象である空気は、氷点下で氷飽和以上の空気である。氷点下で氷飽和以上の空気とは、温度が氷点下であり、かつ氷飽和以上の過飽和蒸気を含むもの、若しくは、温度が氷点下であり、かつ氷飽和蒸気または氷飽和以上の過飽和蒸気、および飛散した過冷却水滴および／または氷結粒を含むものである。ここで、氷点下とは、常圧で０℃以下をいう。
【００１５】
この計測対象空気は、例えば、水飽和以下の空気と、その空気より低温の空気とを混合して冷却することによって、または、引用文献１に記載されているように、４０℃以下の温度の水を入れたパンに氷点下の空気を送風することによって、得られるものである。具体的に前者の方法では、例えば、温度２０℃、相対湿度６５％（絶対湿度０．０１ｋｇ／ｋｇ（ＤＡ））の空気を、−２０℃の空気と混合することによって冷却していくと、８℃程度で水飽和状態の空気となる。ここで、ｋｇ（ＤＡ）は、乾き空気の質量を示す。更に冷却すると、水飽和蒸気または水過飽和蒸気を含み、場合により水滴が飛散している水飽和以上の空気という過渡的な状態の空気になる。更に冷却して氷点下になると、水滴は過冷却状態または氷結粒となり、氷飽和蒸気または氷過飽和蒸気を含む、過渡的な状態である氷点下で氷飽和以上の空気が得られる。より具体的には、氷点下で氷飽和以上の空気は、例えば、温度が−１６℃で、水分が質量１ｋｇの乾き空気中に０．００１５ｋｇ含まれる空気である。
【００１６】
本発明の氷点下で氷飽和以上の空気の含水量計測方法を、図を参照しながら更に説明する。図１は、本発明の含水量計測方法に用いられる装置の一態様を示すブロック図である。図１に示す含水量計測装置は、測定対象の空気を吸入するための吸入口５と、吸入した空気を加熱するための加熱体を備える加熱部３と、前記加熱体の、吸入した空気が接触する表面の温度を測定するための加熱体表面温度測定部８と、加熱した空気の湿度を測定するための湿度測定部６と、前記加熱体表面温度の測定値を入力し、演算処理し、測定対象空気の含水量の値を出力し、加熱部に供給するエネルギー量を調節して加熱体表面温度を制御するための演算部９と、測定した空気を排出するための排出口１０とを備える。
【００１７】
本発明の氷点下で氷飽和以上の空気の含水量計測方法では、まず、計測対象である氷点下で氷飽和以上の空気を含む空間２から吸入口５を通して一定量の空気を含水量計測装置１内に吸入する。吸入手段は特に限定されないが、通常、ファン４などを用いて、含水量計測装置１内の気圧を、計測対象空気を含む空間より負圧にして、吸入口５からその一部を吸入する。単位時間当たりの吸入量は、ファン４の出力並びにダンパ１０およびダンパ１１の開度を変えて調整できる。ファン４は、測定対象空気が加熱部３で加熱される前に、衝撃などによって、過飽和状態が解除されたり、過冷却水滴が過冷却解除されたり、水滴が壁面に付着したりしないように、加熱部３より下流側に設けることが好ましい。
【００１８】
次に、吸入した測定対象空気を、加熱部３によって加熱して湿度が氷飽和以下の空気にする。測定対象空気に、水滴および／または氷結粒が飛散している場合には、加熱部３によって、その水滴および／または氷結粒の全量を気化させる。加熱部３は、氷点下で氷飽和以上の空気を湿度が氷飽和以下の空気にすることができるものであれば特に限定されず、例えば、電気ヒーター、熱交換器（蒸気コイルなど）が挙げられる。特に、加熱部は、加熱部が備える加熱体の表面であって、測定対象空気が接する部分の温度を温度測定部８で測定して、その表面温度測定値に基づいて、加熱部に供給するエネルギー量を調整して、加熱体表面温度を制御できることが好ましい。
【００１９】
加熱体表面温度を測定する温度測定部８としては、特に限定されないが、例えば、測温抵抗体、熱電対、サーミスタなどの接触式温度センサや、赤外線センサなどの非接触式温度センサを用いることができる。温度測定部８は、加熱体表面温度を測定して温度信号を出力できるセンサであることが好ましい。接触式温度センサは、加熱体表面に半田付けなどにより固定して測定できる。
【００２０】
次に、加熱部３の下流に設けた湿度測定部６を用いて、加熱部３によって加熱されて氷飽和以下となった空気の湿度を測定する。湿度測定部６は、特に限定されないが、乾湿計、伸縮式湿度計、電気式湿度計、露点計、高分子湿度センサなどを用いることができる。中でも、湿度を測定して湿度信号を出力できる湿度センサが好ましい。
【００２１】
この様にして得られた湿度の測定値から、計測対象空気の含水量を求める。具体的には、湿度の測定値が絶対湿度ｘ（ｋｇ／ｋｇ（ＤＡ））として得られる場合、計測対象空気の含水量は、乾き空気１（ｋｇ）に対してｘ（ｋｇ）である。また、湿度の測定値が相対湿度φ（％ＲＨ）で得られる場合、例えば、「空気調和・衛生工学便覧第１３版」空気調和・衛生工学会、丸善出版、２００１年１１月、第１巻、ｐ．７６−８０に記載された関係式により、その相対湿度φとその湿度を測定した空気の温度Ｔ（Ｋ）から絶対湿度ｘ（ｋｇ／ｋｇ（ＤＡ））を演算して求めることができ、計測対象空気の含水量は、乾き空気１（ｋｇ）に対してｘ（ｋｇ）である。
具体的には、温度Ｔ（Ｋ）とウェクスラー・ハイランド（Ｗｅｘｌｅｒ−Ｈｙｌａｎｄ）の式（１）により、その温度における水の飽和蒸気圧Ｐｓ（ｋＰａ）を得、
液体の水と接する場合（０．０１℃以上）：ｌｎ（１０３Ｐｓ）＝−０．５８００２２０６×１０４／Ｔ＋０．１３９１４９９３×１０−０．４８６４０２３９×１０−１Ｔ＋０．４１７６４７６８×１０−４Ｔ２−０．１４４５２０９３×１０−７Ｔ３＋０．６５４５９６７３×１０×ｌｎＴ、氷と接する場合（０．０１℃以下）：ｌｎ（１０３Ｐｓ）＝−０．５６７４５３５９×１０４／Ｔ＋０．６３９２５２４７×１０−０．９６７７８４３０×１０−２Ｔ＋０．６２２１５７０１×１０−６Ｔ２＋０．２０７４７８２５×１０−８Ｔ３−０．９４８４０２４０×１０−１２Ｔ４＋０．４１６３５０１９×１０×ｌｎＴ  ・・・式（１）
前記Ｐｓと式（２）により、その温度Ｔにおける飽和空気の水蒸気分圧ｐｗｓ（ｋＰａ）を得、
ｐｗｓ＝Ｐｓ  ・・・式（２）
前記ｐｗｓおよび相対湿度φと式（３）により、水蒸気分圧ｐｗ（ｋＰａ）を得、
φ＝１００ｐｗ／ｐｗｓ  ・・・式（３）
海抜Ｚ（ｍ）および標準大気圧Ｐ０（＝１０１．３２５（ｋＰａ））と式（４）により、大気圧Ｐ（ｋＰａ）を得、
Ｐ＝Ｐ０（１−２．２５５８×１０−５Ｚ）５．２５５９  ・・・式（４）
前記ｐｗ、前記Ｐ、乾き空気の平均分子量Ｍａ（＝２８．９６４５（ｇ／ｍｏｌ））、および水蒸気の分子量Ｍｗ（＝１８．０１５３（ｇ／ｍｏｌ））と式（５）により、絶対湿度ｘ（ｋｇ／ｋｇ（ＤＡ））を得ることができ、計測対象空気の含水量は、乾き空気１（ｋｇ）に対してｘ（ｋｇ）である。
ｘ＝Ｍｗ／Ｍａ×ｐｗ／（Ｐ−ｐｗ）  ・・・式（５）
【００２２】
加熱後の空気の温度は、特に限定されないが、氷点以上であると好ましい。氷点以上であると、計測装置の躯体による冷却などによって加熱後の空気の温度が下がる場合であっても、水蒸気が水滴や氷結粒になることを防ぐことができる。加熱後の空気の温度は、加熱部の下流側に設けた温度測定部７で測定できる。温度測定部７としては、特に限定されないが、例えば、測温抵抗体、熱電対、サーミスタなどの接触式温度センサや、赤外線センサなどの非接触式温度センサを用いることができる。温度測定部７は、加熱体表面温度を測定して温度信号を出力できるセンサであることが好ましい。
【００２３】
本発明の計測方法では、図２に示すように、加熱部の加熱体表面の温度を温度測定部８で測定し、温度測定部８が出力する温度信号を演算部９に入力し、その加熱体表面温度測定値に基づいて、加熱体表面温度の測定値が、計測対象空気に含まれる水分の全量を水蒸気にすることができる加熱体表面温度設定値Ｔｓ以上になるように制御することが好ましい。ここで、加熱体表面温度設定値Ｔｓは、吸入する計測対象空気の量、含水量、温度により異なるが、例えば、５０℃以上、好ましくは８０℃以上、より好ましくは１００℃またはそれ以上の温度である。この制御は、例えば、加熱体表面温度の測定値が加熱体表面温度設定値Ｔｓ未満の場合は、加熱部３に供給するエネルギー量を増やし、加熱体表面温度の測定値が設定値Ｔｓ以上の場合は、加熱部に供給するエネルギー量を維持または減らすことによりおこなう。加熱体へ供給するエネルギー量は、例えば、加熱体が電気ヒーターなどの場合には電流を、加熱体が熱交換器などの場合は水蒸気の温度や流量を調節して、増減させることができる。
【００２４】
加熱体表面温度の初期測定値は、例えば、常温である。また、加熱体表面温度は、計測対象空気を吸入する前に、設定値Ｔｓまで昇温しておくこともでき、計測対象空気を吸入しながら設定値Ｔｓまで昇温することもできる。
【００２５】
計測対象空気を吸入すると、加熱体表面に計測対象空気が接触する。加熱体へ供給するエネルギー量が一定の場合、顕熱や潜熱により加熱体表面温度は低下して設定値Ｔｓ未満となる。加熱体表面温度を測定し、加熱体表面温度測定値が設定値Ｔｓ未満の場合、演算部９により加熱体へ供給するエネルギー量を増やす。この処理を繰り返し、加熱体表面温度測定値が設定値Ｔｓ以上になったら、加熱体へ供給するエネルギー量をその値に維持または減らし、その後継続して加熱体表面温度測定値を監視して、一定値を維持するように、加熱部の加熱体へ供給するエネルギー量を制御する。このように、加熱体表面温度の測定値に基づいて、加熱体へ供給するエネルギー量を徐々に増やして加熱体表面温度を設定値Ｔｓにすると、計測対象空気に含まれる水分の全量を水蒸気にするために必要な、加熱体へ供給するエネルギー量を最低限にすることができる。従って、このような制御によれば、例えば、加熱体へ供給するエネルギー量を、計測対象空気を吸入しない状態で加熱体表面の温度が２５０℃程度になるような値に固定する場合に比べて、少なくて済むので省エネである。また、水分量や風量に対して加熱量が足りなくなる場合や、経路外からの熱のリーク等によって、水滴や氷結粒の気化が不十分となることが防げるので、含水量を正確に計測できる。
【００２６】
更に、本発明の計測方法では、図３に示すように、湿度測定部６で測定した加熱後空気の湿度の測定値が設定値Ｈｓより大きいときは、加熱体表面温度設定値Ｔｓを上げ、湿度の測定値が設定値Ｈｓ以下のときは、加熱体表面温度の測定値を加熱体表面温度設定値Ｔｓに維持するように演算部９で制御することが好ましい。設定値Ｈｓは、例えば、飽和湿度である相対湿度１００％や、それに準ずる高湿度（例えば、相対湿度９０％）である。加熱後空気の湿度の測定値が高湿度を示す場合、加熱部による加熱が不十分で、水滴などが全量蒸発していないおそれや、湿度の測定精度が低下するおそれがあるが、前述の制御を行うことにより、氷点下で氷飽和以上の空気中に含まれる水滴や氷結粒の全量が蒸発することを保証し、湿度の測定精度を向上させることができる。また、前述の制御により、湿度測定値に基づいて加熱体表面温度設定値Ｔｓを徐々に上げると、最低限のエネルギー量で含水量を正確に計測できる状態にすることができるので、省エネである。
【００２７】
更に、本発明の計測方法では、図４に示すように、加熱部下流に設けた温度測定部７で、加熱後空気の温度を測定し、加熱後空気の温度測定値が氷点下のときは、加熱体表面温度設定値Ｔｓを上げ、加熱後空気の温度測定値が氷点より高いときは、加熱体表面温度の測定値が設定値Ｔｓを維持するように制御することが好ましい。このような制御を行うことにより、水分量や風量に対して加熱量が足りない場合や、経路外からの熱のリーク等により、加熱部下流で蒸気が再凝縮して水滴になることや、その水滴の凍結を防ぎ、水分量を正確に計測できる。また、このように、加熱後空気の温度測定値が氷点より高くなるまで徐々に加熱体表面温度設定値Ｔｓを上げる制御を行うことにより、最低限のエネルギー量で含水量を正確に計測でき、省エネである。
【００２８】
本発明の含水量計測方法に用いて加熱された空気は、本発明に係る含水量計測装置１に備えられたダンパ１０を介して、外部に排出する。また、図１に示すように、含水量計測装置１に備えられたダンパ１１を介して、計測対象空気を含む空間２に戻して循環させることができる。本発明の含水量計測方法は、計測対象空気の一部を、正確に含水量を計測できる最低限のエネルギー量で加熱しているので、その加熱した空気を、計測対象空気に戻す際に特に優れている。循環させる場合には、必要によりファン１２で、氷飽和以上の空気を作製する装置１３を通して、冷却や加湿をして氷飽和以上の空気にしてから、計測対象空気を含む空間２に戻すことができる。氷飽和以上の空気を作製する装置１３は、湿度測定部６で測定した湿度測定値を制御値として使用することができる。計測対象空気を含む空間２は、例えば、結晶型人工降雪装置が備える降雪用空気を含む空間とすることができる。
【００２９】
本発明の含水量計測方法で測定した、氷点下で氷飽和以上の空気を用い、その空気から結晶雪を生成させて降雪させることができる。この結晶型人工降雪方法によれば、温度と含水量が特定の値であることを正確にかつ連続的に計測して確認した、氷点下で氷飽和以上の空気を用いることができるので、結晶形状が均一で品質の優れた人工降雪を得ることができる。
【産業上の利用可能性】
【００３０】
本発明の含水量計測方法および装置は、降雪装置における降雪用空気の含水量の計測に適しているが、その測定対象によって限定されず、氷飽和以上の過飽和蒸気、過冷却水滴、またはそれが氷結した状態が単独または複数混合した状態の空気を測定する全ての場合、例えば、気球などに搭載して雲の中の空気の測定に用いたり、自然降雪中の雪を含む空気の測定に用いることもできる。
【符号の説明】
【００３１】
１  含水量計測装置
２  氷飽和以上の空気（測定対象空気）を含む空間
３  加熱部
４、１２  ファン
５  吸入口
６  湿度測定部
７、８  温度測定部
９  演算部
１０、１１  ダンパ（排出口）
１３  氷飽和以上の空気を作製する装置
【図１】
2014231937.tif 000003
【図２】
2014231937.tif 000004
【図３】
2014231937.tif 000005
【図４】
2014231937.tif 000006